(57)【要約】【課題】ディスプレイの消費電力を低減可能なパーソナルコンピュータおよびその表示制御方法を提供する。【解決手段】パーソナルコンピュータ１０は、プログレシブ方式で映像を表示する通常モード、または、インターレース方式で映像を表示するマルチフィールドドライブモードのいずれか一方で映像を表示可能なディスプレイ１７と、通常モードまたはマルチフィールドドライブモードの一方を指定する指定情報をディスプレイに供給する制御装置２０と、を備える。【選択図】図３
2009003113.tif 000002
【特許請求の範囲】
【請求項１】
プログレシブ方式で映像を表示する通常モード、または、インターレース方式で映像を表示するマルチフィールドドライブモードのいずれか一方で映像を表示可能なディスプレイと、
前記通常モードまたは前記マルチフィールドドライブモードの一方を指定する指定情報を前記ディスプレイに供給する制御装置と、
を備えることを特徴とするパーソナルコンピュータ。
【請求項２】
前記マルチフィールドドライブモードは、映像の動き量に応じて映像の書き換え周波数を適応的に変化させると共に、インターレース方式で映像を表示するモードであることを特徴とする請求項１に記載のパーソナルコンピュータ。
【請求項３】
前記指定情報は、ユーザによる前記通常モードまたは前記マルチフィールドドライブモードの一方の指定に基づいた情報であることを特徴とする請求項１〜２のいずれか１項に記載のパーソナルコンピュータ。
【請求項４】
前記指定情報は、前記ディスプレイの輝度が所定閾値より大きい場合に前記通常モードが選択され、前記ディスプレイの輝度が所定閾値より小さい場合に前記マルチフィールドドライブモードが選択される情報であることを特徴とする請求項１〜２のいずれか１項に記載のパーソナルコンピュータ。
【請求項５】
前記指定情報は、前記ディスプレイのバックライトが点灯される場合に前記通常モードが選択され、前記ディスプレイのバックライトが消灯される場合に前記マルチフィールドドライブモードが選択される情報であることを特徴とする請求項１〜２のいずれか１項に記載のパーソナルコンピュータ。
【請求項６】
前記ディスプレイは、半透過型の液晶ディスプレイまたは反射型の液晶ディスプレイであることを特徴とする請求項１〜５のいずれか１項に記載のパーソナルコンピュータ。
【請求項７】
前記制御装置は、ユーザによる前記通常モードまたは前記マルチフィールドドライブモードの一方の指定情報が登録されたデバイスを含んで構成されていることを特徴とする請求項１〜６のいずれか１項に記載のパーソナルコンピュータ。
【請求項８】
前記制御装置は、前記ディスプレイに電源が供給されており、且つ、前記登録された指定情報が前記マルチフィールドドライブモードを指定している場合に、前記マルチフィールドドライブモードを指定する指定情報を前記ディスプレイに供給するデバイスを含んで構成されていることを特徴とする請求項７に記載のパーソナルコンピュータ。
【請求項９】
プログレシブ方式で映像を表示する通常モード、または、インターレース方式で映像を表示するマルチフィールドドライブモードのいずれか一方を指定する指定情報をディスプレイに供給し、
前記指定情報により指定された前記通常モードまたは前記マルチフィールドドライブモードの一方で前記ディスプレイの表示制御を行うことを特徴とするパーソナルコンピュータの表示制御方法。
【発明の詳細な説明】
【技術分野】
【０００１】
本発明は、ディスプレイを備えるパーソナルコンピュータおよびその表示制御方法に関する。
【背景技術】
【０００２】
従来文献（特許文献１）には、パーソナルコンピュータの省電力制御技術の一例が示されている。従来技術に係るパーソナルコンピュータでは、液晶ディスプレイのバックライトを消灯したり低輝度化したりすることにより、液晶ディスプレイの消費電力を低減している。
【特許文献１】特開平９−９０３１７号公報
【発明の開示】
【発明が解決しようとする課題】
【０００３】
パーソナルコンピュータにおいては、従来技術よりもさらに消費電力を低減する要求がある。しかし、従来技術のように液晶ディスプレイのバックライトを消灯したり低輝度化したりするのみでは、パーソナルコンピュータの消費電力の低減には限界がある。
【０００４】
本発明は、上記の課題を解決するためになされたもので、ディスプレイの消費電力を低減可能なパーソナルコンピュータおよびその表示制御方法を提供することを目的とする。
【課題を解決するための手段】
【０００５】
上述した目的を達成するために、本発明のパーソナルコンピュータは、プログレシブ方式で映像を表示する通常モード、または、インターレース方式で映像を表示するマルチフィールドドライブモードのいずれか一方で映像を表示可能なディスプレイと、通常モードまたはマルチフィールドドライブモードの一方を指定する指定情報をディスプレイに供給する制御装置と、を備えることを特徴とする。
【０００６】
また、本発明のパーソナルコンピュータの表示制御方法は、プログレシブ方式で映像を表示する通常モード、または、インターレース方式で映像を表示するマルチフィールドドライブモードのいずれか一方を指定する指定情報をディスプレイに供給し、指定情報により指定された通常モードまたはマルチフィールドドライブモードの一方でディスプレイの表示制御を行うことを特徴とする。
【発明の効果】
【０００７】
本発明によれば、ディスプレイの消費電力を低減可能なパーソナルコンピュータおよびその表示制御方法を提供することができる。
【発明を実施するための最良の形態】
【０００８】
以下、添付図面を参照して、本発明の好適な実施形態について詳細に説明する。なお、説明において、同一要素または同一機能を有する要素には、同一符号を用いることとし、重複する説明は省略する。
【０００９】
図１に示されるように、ノートブック型のパーソナルコンピュータ（情報処理装置）１０は、コンピュータ本体１１と、ディスプレイユニット１２とから構成されている。ディスプレイユニット１２には、ＬＣＤ（Liquid  Crystal  Display）１７から構成される表示装置が組み込まれており、ＬＣＤ１７の表示画面は、ディスプレイユニット１２の略中央に位置されている。
【００１０】
ディスプレイユニット１２は、コンピュータ本体１１に対して開放位置と閉塞位置との間を回動自在に取り付けられている。コンピュータ本体１１は、薄い箱型の筐体を有しており、その上面には、キーボード１３、パーソナルコンピュータ１０の電源をＯＮ／ＯＦＦするためのパワーボタン１４、入力操作パネル１５、およびタッチパッド１６等が配置されている。
【００１１】
次に、パーソナルコンピュータ１０のシステム構成について説明する。
【００１２】
図２に示されるように、パーソナルコンピュータ１０は、ＣＰＵ１１１、ノースブリッジ１１２、主メモリ１１３、ビデオコントローラ１１４、オーディオコントローラ１１５、サウスブリッジ１１９、ＢＩＯＳ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４およびネットワークコントローラ１２５等を備えている。
【００１３】
ＣＰＵ１１１は、パーソナルコンピュータ１０の動作を制御するために設けられたプロセッサであり、ＨＤＤ１２１から主メモリ１１３にロードされるオペレーティングシステム（ＯＳ）、および各種アプリケーションプログラムを実行する。また、ＣＰＵ１１１は、不揮発性メモリであるＢＩＯＳ１２０に格納されたシステムＢＩＯＳ（Basic  Input  Output  System）も実行する。システムＢＩＯＳは、ハードウェア制御のためのプログラムである。
【００１４】
ノースブリッジ１１２は、ＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated  Graphics  Port）バス等を介してビデオコントローラ１１４との通信、およびオーディオコントローラ１１５との通信を実行する機能も有している。
【００１５】
ビデオコントローラ１１４は、パーソナルコンピュータ１０のディスプレイモニタとして使用されるＬＣＤ１７を制御するビデオ再生コントローラである。ビデオコントローラ１１４は、デコードされた映像データからＬＣＤ１７に送出すべき再生信号を生成する。
【００１６】
オーディオコントローラ１１５は、パーソナルコンピュータ１０のスピーカ１８を制御するオーディオ再生コントローラである。オーディオコントローラ１１５は、デコードされた音声データからスピーカ１８に送出すべき再生信号を生成する。
【００１７】
サウスブリッジ１１９は、ＬＰＣ（Low  Pin  Count）バス上の各デバイス、およびＰＣＩ（Peripheral  Component  Interconnect）バス上の各デバイスを制御する。また、サウスブリッジ１１９は、ＨＤＤ１２１、ＯＤＤ１２２を制御するためのＩＤＥ（Integrated  Drive  Electronics）コントローラを内蔵している。更に、サウスブリッジ１１９は、ＢＩＯＳ１２０をアクセス制御するための機能も有している。
【００１８】
ＨＤＤ１２１は、各種ソフトウェアおよびデータを格納する記憶装置である。ＯＤＤ１２２は、ビデオコンテンツが格納されたＤＶＤ等の記憶メディアを駆動するためのドライブユニットである。
【００１９】
ＥＣ／ＫＢＣ１２４は、電力管理のためのエンベデッドコントローラと、キーボード（ＫＢ）１３およびタッチパッド１６を制御するためのキーボードコントローラとが集積された１チップマイクロコンピュータである。このＥＣ／ＫＢＣ１２４は、ユーザによるパワーボタン１４の操作に応じてパーソナルコンピュータ１０の電源をＯＮ／ＯＦＦする機能を有している。ネットワークコントローラ１２５は、例えばインターネット等の外部ネットワークとの通信を実行する通信装置である。
【００２０】
本実施形態のＬＣＤ１７は、反射光を利用して表示内容を視認可能とする機能と、バックライトを利用して表示内容を視認可能とする機能とを併せ持つ半透過型の液晶ディスプレイである。但し、ＬＣＤ１７は、反射光のみを利用して表示内容を視認可能とする反射型の液晶ディスプレイであってもよいし、バックライトのみを利用して表示内容を視認可能とする透過型の液晶ディスプレイであってもよい。
【００２１】
ＬＣＤ１７は、プログレシブ方式で映像を表示する通常モード、または、インターレース方式で映像を表示するマルチフィールドドライブモードのいずれか一方で映像を表示する。ユーザは、通常モードまたはマルチフィールドドライブモードのいずれか一方を選択することができる。ＬＣＤ１７は、マルチフィールドドライブモードで映像を表示するために、マルチフィールドドライブ（ＭＦＤ）機能を実行する。マルチフィールドドライブ機能とは、ＬＣＤ１７に表示される映像の動き量に応じて、映像の書き換え周波数を適応的に変えることで消費電力を低減するＬＣＤ用駆動技術である。マルチフィールドドライブ機能では、映像の書き換え周波数を所定閾値より低周波数化した場合にインターレース方式で映像を表示することにより、画面のちらつき（フリッカ）を抑制している。なお、マルチフィールドドライブ機能に関しては、日本国公開特許文献  公開番号  特開２００４‐４６１８０号公報（出願番号  特願２００３‐１８８６４８号）などに詳しく説明されている。
【００２２】
次に、パーソナルコンピュータ１０においてＬＣＤ１７の制御に関連する構成について説明する。図３は、図２の一部を詳細に示した構成図であり、ＬＣＤ１７および制御装置２０が示されている。
【００２３】
ＬＣＤ１７は、バックライト１７ａや駆動回路１７ｂなどを含んで構成されている。一方、制御装置２０は、ＬＣＤ１７の制御に関連するデバイス群から構成されている。
【００２４】
ＢＩＯＳ１２０は、輝度設定情報、バックライト設定情報、ＭＦＤ機能設定情報等を含む制御信号Ｓをサウスブリッジ１１９に出力する。ここで、輝度設定情報とは、バックライトの輝度を調節するためにユーザにより設定された情報である。本実施形態では、バックライトの輝度は８段階に調節可能であり、ユーザはいずれか１段階を選択して設定する。バックライト設定情報とは、バックライト１７ａを点灯状態または消灯状態のいずれか一方とするためにユーザにより設定された情報である。ＭＦＤ機能設定情報とは、ＭＦＤ機能を有効状態（Ｅｎａｂｌｅ）または無効状態（Ｄｉｓａｂｌｅ）のいずれか一方とするためにユーザにより設定された情報である。なお、上記の各設定情報は、パーソナルコンピュータ１０の作動中にＢＩＯＳ設定画面を介してユーザにより設定される。
【００２５】
サウスブリッジ１１９は、ＢＩＯＳ１２０からの各設定情報を他のデバイスに転送する。すなわち、サウスブリッジ１１９は、ＢＩＯＳ１２０からの輝度設定情報ＰＷＭをノースブリッジ１１２に転送する。また、サウスブリッジ１１９は、ＢＩＯＳ１２０からのバックライト設定情報ＢＬ＿ＯＮ／ＯＦＦを第１アンド回路１３２に転送する。また、サウスブリッジ１１９は、ＢＩＯＳ１２０からのＭＦＤ設定情報ＭＦＤ＿ＯＮ／ＯＦＦをＥＣ／ＫＢＣ１２４に転送する。
【００２６】
ノースブリッジ１１２は、ＬＣＤ１７を制御するための制御信号を他のデバイスに出力する。すなわち、ノースブリッジ１１２は、ＬＣＤ電源制御信号ＬＣＤ＿ＯＮ／ＯＦＦをＬＣＤ電源スイッチ回路１３０に出力する。また、ノースブリッジ１１２は、サウスブリッジ１１９からの輝度設定情報ＰＷＭをバックライト電源コントローラ１３１に転送する。また、ノースブリッジ１１２は、バックライト制御信号ＢＬ＿ＯＮ／ＯＦＦを第１アンド回路１３２に出力する。なお、このバックライト制御信号ＢＬ＿ＯＮ／ＯＦＦは、例えば、ディスプレイユニット１２がコンピュータ本体１１に対して開放位置から閉塞位置に変化した時にオフ信号からオン信号に変化する。
【００２７】
ＬＣＤ電源スイッチ回路１３０は、電源供給ライン１２９とＬＣＤ１７との接続状態を切り換える。ＬＣＤ電源スイッチ回路１３０は、ノースブリッジ１１２からのＬＣＤ電源制御信号ＬＣＤ＿ＯＮ／ＯＦＦに基づいて、電源供給ライン１２９とＬＣＤ１７との接続状態を導通状態と切断状態のいずれに設定するかを決定する。ＬＣＤ電源スイッチ回路１３０が、電源供給ライン１２９とＬＣＤ１７との接続状態を導通状態に設定した場合には、電源供給ライン１２９からＬＣＤ１７に電力ＬＣＤ＿ＰＯＷＥＲが供給される。一方、ＬＣＤ電源スイッチ回路１３０が、電源供給ライン１２９とＬＣＤ１７との接続状態を切断状態に設定した場合には、電源供給ライン１２９からＬＣＤ１７に電力ＬＣＤ＿ＰＯＷＥＲが供給されない。また、ＬＣＤ電源スイッチ回路１３０は、電源供給ライン１２９とＬＣＤ１７との間を接続状態に設定した場合には第２アンド回路１３３にオン信号を出力し、電源供給ライン１２９とＬＣＤ１７との間を切断状態に設定した場合には第２アンド回路１３３にオフ信号を出力する。
【００２８】
第１アンド回路１３２は、ノースブリッジ１１２からのバックライト制御信号ＢＬ＿ＯＮ／ＯＦＦと、サウスブリッジ１１９からのバックライト設定情報ＢＬ＿ＯＮ／ＯＦＦとを取り込む。そして、第１アンド回路１３２は、これらの信号に基づいて新たなバックライト制御信号を生成し、バックライト電源コントローラ１３１に出力する。より詳しく説明すると、第１アンド回路１３２は、これらの信号が共にバックライト１７ａの点灯を指示するオン信号である場合には、バックライト電源コントローラ１３１にオン信号を出力する。一方、第１アンド回路１３２は、これらの信号の少なくとも一方がバックライト１７ａの消灯を指示するオフ信号である場合には、バックライト電源コントローラ１３１にオフ信号を出力する。
【００２９】
バックライト電源コントローラ１３１は、第１アンド回路１３２からのバックライト制御信号と、ノースブリッジ１１２からの輝度設定情報ＰＷＭとを取り込む。そして、バックライト電源コントローラ１３１は、これらの信号に基づいてバックライト１７ａを制御するためのバックライト制御信号ＢＬ＿ＣＯＮＴＲＯＬを生成し、バックライト１７ａに出力する。より詳しく説明すると、バックライト電源コントローラ１３１は、第１アンド回路１３２からのバックライト制御信号がオン信号である場合には、ノースブリッジ１１２からの輝度設定情報ＰＷＭに応じてバックライト１７ａを点灯させるためのバックライト制御信号ＢＬ＿ＣＯＮＴＲＯＬを生成して出力する。一方、バックライト電源コントローラ１３１は、第１アンド回路１３２からのバックライト制御信号がオフ信号である場合には、バックライト１７ａを消灯させるためのバックライト制御信号ＢＬ＿ＣＯＮＴＲＯＬを生成して出力する。
【００３０】
ＥＣ／ＫＢＣ１２４は、サウスブリッジ１１９からのＭＦＤ設定情報ＭＦＤ＿ＯＮ／ＯＦＦを第２アンド回路１３３に転送する。
【００３１】
第２アンド回路１３３は、ＬＣＤ電源スイッチ回路１３０からのオンオフ信号と、ＥＣ／ＫＢＣ１２４からのＭＦＤ設定情報ＭＦＤ＿ＯＮ／ＯＦＦとを取り込む。そして、第２アンド回路１３３は、これらの信号に基づいたＭＦＤ制御信号ＭＦＤ＿ＯＮ／ＯＦＦを生成して駆動回路１７ｂに出力する。このＭＦＤ制御信号ＭＦＤ＿ＯＮ／ＯＦＦは、通常モードまたはＭＦＤモードのいずれか一方を指定するための指定情報である。より詳しく説明すると、第２アンド回路１３３は、ＬＣＤ電源スイッチ回路１３０およびＥＣ／ＫＢＣ１２４からの信号が共にオン信号である場合には、ＭＦＤモードを指定するためオン信号を生成して出力する。一方、第２アンド回路１３３は、ＬＣＤ電源スイッチ回路１３０およびＥＣ／ＫＢＣ１２４からの信号の少なくとも一方がオフ信号である場合には、通常モードを指定するためにオフ信号を生成して出力する。
【００３２】
ＬＣＤ１７に内蔵される駆動回路１７ｂは、第２アンド回路１３３からのＭＦＤ制御信号ＭＦＤ＿ＯＮ／ＯＦＦを取り込む。そして、駆動回路１７ｂは、ＭＦＤ制御信号ＭＦＤ＿ＯＮ／ＯＦＦがオン信号である場合には、ＭＦＤ機能を有効化する。この時、駆動回路１７ｂは、ＬＣＤ１７に表示される映像の動き量に応じて映像の書き換え周波数を適応的に変えると共に、映像の書き換え周波数の低周波数化に応じてインターレース方式で映像を表示する。一方、駆動回路１７ｂは、ＭＦＤ制御信号ＭＦＤ＿ＯＮ／ＯＦＦがオフ信号である場合には、ＭＦＤ機能を無効化する。この時、駆動回路１７ｂは、通常モードとなり、映像の書き換え周波数を一定とすると共に、プログレシブ方式でＬＣＤ１７に映像を表示する。
【００３３】
本実施形態では、パーソナルコンピュータ１０のＬＣＤ１７にＭＦＤ機能を適用しているため、ＬＣＤ１７に映像がインターレース方式で表示されるため、パーソナルコンピュータ１０の消費電力を抑制することができる。よって、ユーザは、外部からパーソナルコンピュータ１０に給電することなく、パーソナルコンピュータ１０を長時間使用することができる。
【００３４】
（第１変形例）
次に、パーソナルコンピュータ１０の第１変形例について説明する。
【００３５】
第１変形例に係るパーソナルコンピュータ１０では、バックライト１７ａの輝度が予め設定された閾値（例えば１０〜３０カンデラ程度の値）よりも低い場合に駆動回路１７ｂのＭＦＤ機能を有効化し、バックライト１７ａの輝度が予め設定された閾値よりも高い場合に駆動回路１７ｂのＭＦＤ機能を無効化する。バックライト１７ａの輝度が低い状態では、ＭＦＤ機能を有効化しても映像品質の変化はユーザにより認識されない。よって、バックライト１７ａの輝度が低い状態でＭＦＤ機能を有効化することによって、映像品質の変化をユーザに認識されることなく、パーソナルコンピュータ１０の消費電力を抑制することができる。
【００３６】
なお、バックライト１７ａの輝度が所定閾値よりも低い場合にＭＦＤ機能を有効化する方法としては、例えば、ＢＩＯＳ１２０に設定された輝度設定情報ＰＷＭが８段階のうち下から１段階目または２段階目である場合に、ＢＩＯＳ１２０が出力するＭＦＤ制御情報ＭＦＤ＿ＯＮ／ＯＦＦをオン信号としてＭＦＤ機能を有効化すればよい。一方、ＢＩＯＳ１２０に設定された輝度設定情報ＰＷＭが８段階のうち下から３〜８段階目である場合には、ＢＩＯＳ１２０が出力するＭＦＤ制御情報ＭＦＤ＿ＯＮ／ＯＦＦをオフ信号としてＭＦＤ機能を無効化すればよい。
【００３７】
また、別の方法としては、バックライト電源コントローラ１３１がバックライト制御信号ＢＬ＿ＣＯＮＴＲＯＬを駆動回路１７ｂに出力し、駆動回路１７ｂがバックライト制御信号ＢＬ＿ＣＯＮＴＲＯＬに基づいてバックライト１７ａの輝度が所定閾値よりも低い否かを判定して、ＭＦＤ機能の有効化または無効化を決定するように構成してもよい。
【００３８】
（第２変形例）
次に、パーソナルコンピュータ１０の第２変形例について説明する。
【００３９】
第２変形例に係るパーソナルコンピュータ１０では、バックライト１７ａが消灯される場合に駆動回路１７ｂのＭＦＤ機能を有効化し、バックライト１７ａが点灯される場合に駆動回路１７ｂのＭＦＤ機能を無効化する。バックライト１７ａが消灯されている状態では、ＭＦＤ機能を有効化しても映像品質の変化はユーザにより認識されない。よって、バックライト１７ａが消灯されている状態でＭＦＤ機能を有効化することによって、映像品質の変化をユーザに認識されることなく、パーソナルコンピュータ１０の消費電力を抑制することができる。
【００４０】
なお、バックライト１７ａが消灯されている場合にＭＦＤ機能を有効化する方法としては、例えば、ＢＩＯＳ１２０に設定されたバックライト設定情報ＢＬ＿ＯＮ／ＯＦＦがオフである場合に、ＢＩＯＳ１２０が出力するＭＦＤ制御情報ＭＦＤ＿ＯＮ／ＯＦＦをオン信号としてＭＦＤ機能を有効化すればよい。一方、ＢＩＯＳ１２０に設定されたバックライト設定情報ＢＬ＿ＯＮ／ＯＦＦがオンである場合に、ＢＩＯＳ１２０が出力するＭＦＤ制御情報ＭＦＤ＿ＯＮ／ＯＦＦをオフ信号としてＭＦＤ機能を無効化すればよい。
【００４１】
また、別の方法としては、バックライト電源コントローラ１３１がバックライト制御信号ＢＬ＿ＣＯＮＴＲＯＬを駆動回路１７ｂに出力し、駆動回路１７ｂがバックライト制御信号ＢＬ＿ＣＯＮＴＲＯＬに基づいてバックライト１７ａが消灯されているか否かを判定して、ＭＦＤ機能の有効化または無効化を決定するように構成してもよい。
【図面の簡単な説明】
【００４２】
【図１】本発明に係る情報処理装置の一実施形態であるパーソナルコンピュータの斜視図である。
【図２】図１に示されたパーソナルコンピュータのシステム構成を示すブロック図である。
【図３】図２のパーソナルコンピュータの一部を詳細に示すブロック図である。
【符号の説明】
【００４３】
１０…パーソナルコンピュータ、１１…コンピュータ本体、１２…ディスプレイユニット、１３…キーボード、１４…パワーボタン、１５…入力操作パネル、１６…タッチパッド、１７…ＬＣＤ、１７ａ…バックライト、１７ｂ…駆動回路、１８…スピーカ、２０…制御装置、１１１…ＣＰＵ、１１２…ノースブリッジ、１１３…メモリ、１１４…ビデオコントローラ、１１５…オーディオコントローラ、１１９…サウスブリッジ、１２０…ＢＩＯＳ、１２１…ＨＤＤ、１２２…ＯＤＤ、１２４…ＥＣ／ＫＢＣ、１２５…ネットワークコントローラ、１２９…電源供給ライン、１３０…ＬＣＤ電源スイッチ回路、１３１…バックライト電源コントローラ、１３２…第１アンド回路、１３３…第２アンド回路。
【図１】
2009003113.tif 000003
【図２】
2009003113.tif 000004
【図３】
2009003113.tif 000005